(57)【要約】【課題】美観を損なうことなく、取り扱い性の向上を図ったガスメータを提供する。【解決手段】ガスメータを構成する筐体の正面には、表示器用の開口部１１が設けられている。開口部１１が設けられている正面と対向する背面に、上下方向に延びる凸状の一対のグリップ部１３ａ、１３ｂが設けられている。この一対のグリップ部１３ａ、１３ｂ間に形成された凹部１４には、左右方向に延びる凸状の引っかけ部１５が設けられている。【選択図】図１
2005227255.tif 000002
【特許請求の範囲】
【請求項１】
箱型の筐体から構成され、前記箱型の正面に表示器用の開口部が設けられたガスメータであって、
前記筐体の正面と対向する背面に、上下方向に延びる凸状のグリップ部を設けることを特徴とするガスメータ。
【請求項２】
請求項１記載のガスメータであって、
前記筐体の上面には、左右方向に並んで、ガスの流入口と流出口とが設けられ、
前記グリップ部は、左右方向に対して一対設けられることを特徴とするガスメータ。
【請求項３】
請求項２記載のガスメータであって、
前記一対のグリップ部は、前記背面における左右側端部に設けられ、
前記背面において、前記一対のグリップ間を凹ませて、前記凸状のグリップ部を形成することを特徴とするガスメータ。
【請求項４】
請求項３記載のガスメータであって、
前記背面において、左右方向に延びる上端部エリア又は下端部エリアと、前記一対のグリップ部に囲まれた部分を凹ませて、前記凸状のグリップ部を形成することを特徴とするガスメータ。
【請求項５】
請求項４記載のガスメータであって、
前記上端部エリアにおいて、当該上端部エリア及び前記一対のグリップ部に囲まれた凹部と境界の一部は、背面側から見て、上端側に向かって凹んでいる、又は、前記下端部エリアにおいて、当該下端部エリア及び前記一対のグリップ部に囲まれた凹部との境界の一部は、背面側から見て、下端側に向かって凹んでいることを特徴とするガスメータ。
【請求項６】
請求項３〜５何れか１項記載のガスメータであって、
前記一対のグリップ間に形成された凹部に、左右方向に延びる凸状の引っかけ部を設けることを特徴とするガスメータ。
【請求項７】
箱型の筐体から構成され、前記筐体の正面に表示器用の開口部が設けられたガスメータであって、
前記筐体の正面と対向する背面に、左右方向に延びる第１溝部と、
前記第１溝部より上方に、かつ、前記第１溝部と平行に設けられ、前記第１溝部より溝幅の小さい第２溝部とを設けたことを特徴とするガスメータ。
【発明の詳細な説明】
【技術分野】
【０００１】
本発明は、箱型の筐体から構成されたガスメータに関するものである。
【背景技術】
【０００２】
従来、ガスメータとしては、例えば、超音波式センサや、熱式センサを使用した一般的に電子式ガスメータと呼ばれるものがある。また、ダイヤフラムの移動を利用して機械的に通過流量を積算計測する膜式のガスメータもある。
【０００３】
上述した電子式ガスメータは、図７に示すように、略箱型の筐体から構成されており、筐体の正面には、ガス使用量を表示する表示器としての液晶ディスプレイ２０が設けられ、上面には、ガスの流出入口１２が設けられている。電子式ガスメータは、膜式ガスメータに比べて、機械的に動く部分がない。このため、同図に示すように、外観は、凹凸がなくなって、非常にシンプルになり、美観に優れている。
【０００４】
しかしながら、上述したように外観上の凹凸が無くなるため、ガスメータを持つとき非常に持ちにくく、ガスメータの取り付け時に、最悪の場合、手から滑り落ちて、落下させてしまう恐れがあり、取り扱いが非常に難しかった。
【発明の開示】
【発明が解決しようとする課題】
【０００５】
そこで、本発明は、上記のような問題点に着目し、美観を損なうことなく、取り扱い性の向上を図ったガスメータを提供することを課題とする。
【課題を解決するための手段】
【０００６】
請求項１記載の発明は、箱型の筐体から構成され、前記筐体の正面に表示器用の開口部が設けられたガスメータであって、前記筐体の正面と対向する背面に、上下方向に延びる凸状のグリップ部を設けることを特徴とするガスメータに存する。
【０００７】
請求項１記載の発明によれば、ガスメータを構成する筐体の正面には、表示器用の開口部が設けられている。開口部が設けられている正面と対向する背面に、上下方向に延びる凸状のグリップ部が設けられている。従って、ガスメータ取り付け時に、ガスメータの正面から上下方向に延びるグリップ部に手を回して、つかむことができ、持ちやすい。しかも、ガスメータにおいて、グリップ部が設けられた背面は、壁側に配置されて取り付けられる。このため、取り付け後にグリップ部は壁との間に隠れてしまう。
【０００８】
請求項２記載の発明は、請求項１記載のガスメータであって、前記筐体の上面には、左右方向に並んで、ガスの流入口と流出口とが設けられ、前記グリップ部は、左右方向に対向して一対設けられることを特徴とするガスメータに存する。
【０００９】
請求項２記載の発明によれば、筐体の上面には、左右方向に並んで、ガスの流入口と流出口とが設けられている。グリップ部は、左右方向に対向して一対設けられている。従って、グリップ部を左右方向に一対設けることにより、両手でグリップ部をつかむことができる。しかも、左側にある流入口又は流出口に配管を接続する際は、右側にあるグリップ部を持ちながら作業し、右側にある流入口又は流出口に配管を接続する際は、左側にあるグリップ部を持ちながら作業することができる。
【００１０】
請求項３記載の発明は、請求項２記載のガスメータであって、前記一対のグリップ部は、前記背面における左右側端部に設けられ、前記背面において、前記一対のグリップ間を凹ませて、前記凸状のグリップ部を形成することを特徴とするガスメータに存する。
【００１１】
請求項３記載の発明によれば、一対のグリップ部を、背面における左右側端部に設けると共に、背面において、一対のグリップ間を凹ませて、凸状のグリップ部を形成する。従って、各グリップの左右方向外側を凹ませる必要がなくなる。また、グリップ部がつかみやすくなる。
【００１２】
請求項４記載の発明は、請求項３記載のガスメータであって、前記背面において、左右方向に延びる上端部エリア又は下端部エリアと、前記一対のグリップ部に囲まれた部分を凹ませて、前記凸状のグリップ部を形成することを特徴とするガスメータに存する。
【００１３】
請求項４記載の発明によれば、背面において、左右方向に延びる上端部エリア又は下端部エリアと、一対のグリップ部に囲まれた部分を凹ませて、凸状のグリップ部を形成する。従って、グリップ部の上端部エリア側、下端部エリア側は凹ませる必要がなくなる。しかも、ガスメータを上面から持つときに、上端部エリア、グリップ部間に囲まれた凹部と、その上端部エリアとの境界に指を引っかけられるようにして、持ちやすくすることもできる。又は、ガスメータを下面から持つときに、下端部エリア、グリップ部間に囲まれた凹部と、その下端部エリアとの境界に指を引っかけられるようにして、持ちやすくすることもできる。
【００１４】
請求項５記載の発明は、請求項４記載のガスメータであって、前記上端部エリアにおいて、当該上端部エリア及び前記一対のグリップ部に囲まれた凹部と境界の一部は、背面側から見て、上端側に向かって凹んでいる、又は、前記下端部エリアにおいて、当該下端部エリア及び前記一対のグリップ部に囲まれた凹部との境界の一部は、背面側から見て、下端側に向かって凹んでいることを特徴とするガスメータに存する。
【００１５】
請求項５記載の発明によれば、上端部エリアにおいて、当該上端部エリア及び前記一対のグリップ部に囲まれた凹部と境界の一部は、背面側から見て、上端側に向かって凹んでいる、又は、前記下端部エリアにおいて、当該下端部エリア及び前記一対のグリップ部に囲まれた凹部との境界の一部は、背面側から見て、下端側に向かって凹んでいる。以上の構成によれば、ガスメータを上面又は下面から持つときに、上端部エリア又は下端部エリアにおいて、境界の一部が指の届く位置にあれば良く、境界全体が指の届く位置になくてもよい。
【００１６】
請求項６記載の発明は、請求項３〜５何れか１項記載のガスメータであって、前記一対のグリップ間に形成された凹部に、左右方向に延びる凸状の引っかけ部を設けることを特徴とするガスメータに存する。
【００１７】
請求項６記載の発明によれば、グリップ間に形成された凹部に、左右方向に延びる凸状の引っかけ部が設けられている。従って、ガスメータを上面から持つときに、引っかけ部に指をかけることができ、もちやすい。しかも、グリップ間に形成された凹部に、凸状の引っかけ部を設けることにより、凹部でない場所に凸状の引っかけ部を設けた場合に比べて、ガスメータの幅を縮小することができる。
【００１８】
請求項７記載の発明は、箱型の筐体から構成され、前記筐体の正面に表示器用の開口部が設けられたガスメータであって、前記筐体の正面と対向する背面に、左右方向に延びる第１溝部と、前記第１溝部より上方に、かつ、前記第１溝部と平行に設けられ、前記第１溝部より溝幅の小さい第２溝部とを設けたことを特徴とするガスメータに存する。
【００１９】
請求項７記載の発明によれば、ガスメータを構成する筐体の正面には、表示器用の開口部が設けられている。表示器が設けられている正面と対向する背面に、左右方向に延びる第１溝部と、第１溝部より上方に設けられ、第１溝部と平行に、かつ、第１溝部より溝幅の小さい第２溝部とが設けられている。
【００２０】
従って、ガスメータを上面から持つときに、第１溝部に手を引っかけることができ、もちやすい。しかも、第１溝部から手が滑ってしまったとしても、上方に設けた第２溝部が滑り止めとして働き、ガスメータを落としてしまうこともない。ところで、ただ複数の溝部を設けた場合、一番上方の溝部に指を引っかけて持ってしまう恐れがあり、手が滑った場合に、滑り止めとして働く溝部がなくなり、落下してしまうことがある。これに対して、本発明は、第２溝部の溝幅を第１溝部より小さく形成しているため、第２溝部を第１溝部と間違えて、指を引っかけてしまうことも防止することができる。また、ガスメータにおいて、第１及び第２溝部が設けられた背面は、壁側に配置されて取り付けられる。このため、取り付け後に第１及び第２溝部は壁との間に隠れてしまう。
【発明の効果】
【００２１】
以上説明したように請求項１記載の発明によれば、ガスメータ取り付け時に、ガスメータの正面から上下方向に延びるグリップ部に手を回して、つかむことができ、持ちやすい。しかも、ガスメータにおいて、グリップ部が設けられた背面は、壁側に配置されて取り付けられる。このため、取り付け後にグリップ部は壁との間に隠れてしまうので、美観を損なうことなく、取り扱い性の向上を図ったガスメータを得ることができる。
【００２２】
請求項２記載の発明によれば、グリップ部を左右方向に一対設けることにより、両手でグリップ部をつかむことができる。しかも、左側にある流入口又は流出口に配管を接続する際は、右側にあるグリップ部を持ちながら作業し、右側にある流入口又は流出口に配管を接続する際は、左側にあるグリップ部を持ちながら作業することができるので、より一層、取り扱い性の向上を図ったガスメータを得ることができる。
【００２３】
請求項３記載の発明によれば、各グリップの左右方向外側を凹ませる必要がなくなるので、筐体の収容容積を大きくすることができる。また、グリップ部がつかみやすいガスメータを得ることができる。
【００２４】
請求項４記載の発明によれば、グリップ部の上端部エリア側、下端部エリア側は凹ませる必要がなくなる。しかも、ガスメータを上面から持つときに、上端部エリア、グリップ部間に囲まれた凹部と、その上端部エリアとの境界に指を引っかけられるようにして、持ちやすくすることもできる。又は、ガスメータを下面から持つときに、下端部エリア、グリップ部間に囲まれた凹部と、その下端部エリアとの境界に指を引っかけられるようにして、持ちやすくすることもできるので、より一層の取り付け性の向上を図ることができるガスメータを得ることができる。
【００２５】
請求項５記載の発明によれば、ガスメータを上面又は下面から持つときに、上端部エリア又は下端部エリアにおいて、境界の一部が指の届く位置にあれば良く、境界全体が指の届く位置になくてもよいので、筐体の収容容積を大きくすることができるガスメータを得ることができる。
【００２６】
請求項６記載の発明によれば、ガスメータを上面から持つときに、引っかけ部に指をかけることができ、もちやすい。しかも、グリップ間に形成された凹部に、凸状の引っかけ部を設けることにより、凹部でない場所に凸状の引っかけ部を設けた場合に比べて、ガスメータの幅を縮小することができるので、より一層の取り付け性の向上を図るとともに、メータ幅の縮小を図ったガスメータを得ることができる。
【００２７】
請求項７記載の発明によれば、ガスメータを上面から持つときに、第１溝部に手を引っかけることができ、もちやすい。しかも、第１溝部から手が滑ってしまったとしても、上方に設けた第２溝部が滑り止めとして働き、ガスメータを落としてしまうこともない。ところで、ただ複数の溝部を設けた場合、一番上方の溝部に指を引っかけて持ってしまう恐れがあり、手が滑った場合に、滑り止めとして働く溝部がなくなり、落下してしまうことがある。これに対して、本発明は、第２溝部の溝幅を第１溝部より小さく形成しているため、第２溝部を第１溝部と間違えて、指を引っかけてしまうことも防止することができる。また、ガスメータにおいて、第１及び第２溝部が設けられた背面は、壁側に配置されて取り付けられる。このため、取り付け後に第１及び第２溝部は壁との間に隠れてしまうので、美観を損なうことなく、取り扱い性の向上を図ったガスメータを得ることができる。
【発明を実施するための最良の形態】
【００２８】
第１実施形態
以下、本発明の第１実施形態について、図面を参照して説明する。図１（ａ）〜（ｄ）は各々、本発明のガスメータの第１実施形態を示す正面図、側面図、背面図及び上面図である。図２は、図１に示すガスメータのＩ−Ｉ線断面図である。同図に示すように、ガスメータは、略箱型の筐体から構成されており、筐体の正面には開口部１１が設けられ、この開口部１１を通して、ガスの使用量を表示する液晶ディスプレイ２０が視認できるようになっている。また、上面には、左右方向に並んでガスの流入口１２ａ、流出口１２ｂが設けられている。
【００２９】
ガスメータの背面には、上下方向に延びる凸状の一対のグリップ部１３ａ、１３ｂが左右方向に対向して設けられている。このグリップ部１３ａ、１３ｂを設けることにより、ガスメータ取り付け時に、図１（ｄ）に示すように、上下方向に延びる一対のグリップ部１３ａ、１３ｂにガスメータ正面から手Ｈを回して、つかむことができ、持ちやすくなる。しかも、ガスメータにおいて、グリップ部１３ａ、１３ｂが設けられた背面は、壁側に配置されて取り付けられる。このため、取り付け後にグリップ部１３ａ、１３ｂは壁との間に隠れてしまう。従って、美観を損なうことなく、取り扱い性の向上を図ることができる。
【００３０】
また、グリップ部１３ａ、１３ｂを左右方向に一対設けることにより、両手Ｈでグリップ部１３ａ、１３ｂをつかむことができる。しかも、左側にある流入口１２ａに配管を接続する際は、右側にあるグリップ部１３ｂを持ちながら作業し、右側にある流出口１２ａに配管を接続する際は、左側にあるグリップ部１３ａを持ちながら作業することができ、より一層、取り扱い性が向上するような構成になっている。
【００３１】
上述した一対のグリップ部１３ａ、１３ｂは、背面における左右側端部に設けられ、その一対のグリップ部１３ａ、１３ｂと、左右方向に延びる下端部エリア１８とによって囲まれた部分を凹ませて、形成されている。これにより、各グリップ部１３ａ、１３ｂの左右方向外側を凹ませて形成する必要がなくなる。また、グリップ部１３ａ、１３ｂが背面の下端部まで延びておらず、背面の上端部から下端部に達する手前までに形成されているような場合、グリップ部１３ａ、１３ｂの下端部エリア１８側を凹ませる必要がなくなり、筐体の幅に対する収容容積を大きくすることができる。
【００３２】
また、グリップ１３ａ、１３ｂ間に形成された凹部１４に、左右方向に延びる凸状の引っかけ部１５が設けられている。従って、ガスメータを上面から持つときに、図２に示すように、引っかけ部１５に指をかけることができ、もちやすい。しかも、グリップ部１３ａ、１３ｂ間に形成された凹部１４に、凸状の引っかけ部１５を設けることにより、凹部１４でない場所に凸状の引っかけ部１５を設けた場合に比べて、ガスメータの幅を縮小することができる。
【００３３】
さらに、この引っかけ部１５の上下方向位置は、液晶ディスプレイ２０用の開口部１１上端の上下方向位置とほぼ同じ位置に設けられている。これにより、引っかけ部１５だけでなく、開口部１１の上端にも手Ｈを引っかけることができ、一層持ちやすくなる。
【００３４】
なお、上述した第１実施形態では、ガスメータを上面から持つための引っかけ部１５が形成されていた。しかしながら、ガスメータの下面から掴んだり、下から支えながら作業することもある。そこで、例えば、グリップ部１３ａ、１３ｂを下端側に延ばし、下端部エリア１８と凹部１４との境界を下側に引き下げて、下面から下端部エリア１８と凹部１４との境界に指を引っかけられるようにすることも考えられる。
【００３５】
また、上述したように、下面から下端部エリア１８と凹部１４との境界を下側に引き下げると、凹部１４の範囲が拡大し、筐体の収容容積が小さくなってしまう。そこで、この凹部１４の範囲拡大を最小限に抑えるため、例えば、図３に示すようにガスメータ背面を構成することが考えられる。
【００３６】
同図に示すように、下端部エリア１８において、凹部１４との境界の一部は、背面側からみて、下端側に向かって凹んでいる凹み部１８ａが形成されている。以上のように構成によれば、図４に示すように、ガスメータを下面から持つときに、凹部１４と、その下端部エリア１８の凹み部１８ａとの境界に指を引っかけて、もつことができる。また、このような構成によれば、ガスメータを下面から持つときに、下端部エリア１８において、凹部１４との境界の一部である凹み部１８ａが指の届く位置にあれば良く、境界全体が指の届く位置になくてもよくなり、筐体の収容容積を大きくすることができる。
【００３７】
また、上述した第１実施の形態では、一対のグリップ部１３ａ、１３ｂと、下端部エリア１８とによって囲まれた部分を凹ませて、凸状の一対のグリップ部１３ａ、１３ｂを形成していた。しかしながら、この場合に限らず、例えば、一対のグリップ部１３ａ、１３ｂと、左右方向に延びる上端部エリア（図示せず）とによって囲まれた部分を凹ませたり、一対のグリップ部１３ａ、１３ｂと、左右方向に延びる下端部エリア１８及び上端部エリアの両エリアとに囲まれた部分を凹ませて形成することも考えられる。
【００３８】
この場合、ガスメータの上面からは、上端部エリアと凹部１４との境界に手を引っかけて、持つようにすることができる。さらに、下端部エリア１８と同様に、凹部１４の範囲拡大を最小限に抑えるため、上端部エリアにおいて、凹部１４との境界の一部を、背面側からみて、上端側に向かって凹ませることも考えられる。
【００３９】
また、一対のグリップ部１３ａ、１３ｂを、背面において上端から下端に亘って形成し、引っかけ部１５を上面から持つとき用と、下面から持つとき用との２カ所設けることも考えられる。
【００４０】
第２実施形態
次に、本発明の第２実施形態について、図面を参照して説明する。図５（ａ）〜（ｄ）は各々、本発明のガスメータの第２実施形態を示す正面図、側面図、背面図及び上面図である。図６は、図５に示すガスメータのＶ−Ｖ線断面図である。同図に示すように、ガスメータは、略箱形の筐体から構成されており、筐体の正面には開口部１１が設けられ、この開口部１１を通して、ガスの使用量を表示する液晶ディスプレイ２０が視認できるようになっている。また、上面には、左右方向に並んでガスの流入口１２ａ、流出口１２ｂが設けられている。
【００４１】
ガスメータの背面には、左右方向に延びる１つの第１溝部１６と、この第１溝部１６より上方に、かつ、第１溝部１６と平行に設けられた２つの第２溝部１７とが設けられている。第２溝部１７の溝幅は、第１溝部１６より小さく、例えば、指が入らないくらいに形成されている。
【００４２】
以上の構成により、ガスメータを上面から持つときに、第１溝部１６に手を引っかけることができ、もちやすい。しかも、第１溝部１６から手が滑ってしまったとしても、上方に設けた第２溝部１７が滑り止めとして働き、ガスメータを落としてしまうこともない。
【００４３】
ところで、ただ第１溝部１６を複数設けた場合、一番上方の第１溝部に指を引っかけて持ってしまうと、手が滑った場合に、滑り止めとして働く溝部がなくなり、落下してしまうことがある。これに対して、第２実施形態は、第２溝部１７の溝幅を第１溝部１６より小さく形成し、人の指が入らないようにしているため、第２溝部１７を第１溝部１６と間違えて、指を引っかけてしまうことも防止することができる。
【００４４】
また、ガスメータにおいて、第１及び第２溝部１６、１７が設けられた背面は、壁側に配置されて取り付けられる。このため、取り付け後に第１及び第２溝部１６、１７は壁との間に隠れてしまう。このため、ガスメータの美観を損なうことなく、取り扱い性の向上を図ることができる。
【００４５】
さらに、この第１溝１６の上下方向位置は、液晶ディスプレイ２０用の開口部１１上端の上下方向位置とほぼ同じ位置に設けられている。これにより、第１溝部１６だけでなく、開口部１１の上端にも手Ｈを引っかけることができ、一層持ちやすくなる。
【図面の簡単な説明】
【００４６】
【図１】（ａ）〜（ｄ）は各々、本発明のガスメータの第１実施形態を示す正面図、側面図、背面図及び上面図である。
【図２】図１に示すガスメータのＩ−Ｉ断面図である。
【図３】本発明のガスメータの他の実施の形態を示す背面図である。
【図４】図３に示すガスメータのＩＩＩ−ＩＩＩ断面図である。
【図５】（ａ）〜（ｄ）は各々、本発明のガスメータの第２実施形態を示す正面図、側面図、背面図及び上面図である。
【図６】図５に示すガスメータのＶ−Ｖ断面図である。
【図７】（ａ）〜（ｄ）は各々、従来のガスメータの一例を示す正面図、側面図、背面図及び上面図である。
【符号の説明】
【００４７】
１１    開口部
１２ａ  流入口
１２ｂ  流出口
１３ａ  グリップ部
１３ｂ  グリップ部
１４    凹部
１５    引っかけ部
１６    第１溝部
１７    第２溝部
１８    下端部エリア
２０    液晶ディスプレイ（表示器）
【図１】
2005227255.tif 000003
【図２】
2005227255.tif 000004
【図３】
2005227255.tif 000005
【図４】
2005227255.tif 000006
【図５】
2005227255.tif 000007
【図６】
2005227255.tif 000008
【図７】
2005227255.tif 000009